(57)【要約】【課題】虹彩の形状を定量的に測定可能な眼科用検査装置を提供する。【解決手段】被検眼の前眼部に向け、瞳孔領から虹彩の周辺部にわたりスリット光を投射するスリット光投射光学系７０と、スリット光投射光学系７０によって投射されるスリット光を走査させるように、スリット光投射光学系を移動制御する駆動装置４４と、スリット光投射光学系７０によって投射されたスリット光の反射光によって得られる前眼部の断面画像を、スリット光の移動に合わせて複数回撮影する撮影光学系８０と、撮影光学系８０によって撮影された断面画像を画像解析して、被検眼の複数の位置における前房深度を算出するステップと、算出された複数の前房深度に基づいて虹彩表面の複数の位置座標を算出するステップと、算出された複数の位置座標に基づいて、虹彩の曲率半径を算出するステップとを実行するデータ解析部４５とを具備する。【選択図】図１５
2008264516.tif 000002
【特許請求の範囲】
【請求項１】
被検眼の前眼部を検査するための眼科用検査装置において、
被検眼の前眼部に向け、瞳孔領から虹彩の周辺部にわたりスリット光を投射するスリット光投射光学系と、
該スリット光投射光学系によって投射されるスリット光を走査させるように、スリット光投射光学系を移動制御する駆動装置と、
前記スリット光投射光学系によって投射されたスリット光の反射光によって得られる前眼部の断面画像を、スリット光の移動に合わせて複数回撮影する撮影光学系と、
前記撮影光学系によって撮影された断面画像を画像解析して、被検眼の複数の位置における前房深度を算出するステップと、算出された複数の前房深度に基づいて虹彩表面の複数の位置座標を算出するステップと、算出された複数の位置座標に基づいて、虹彩の曲率半径を算出するステップとを実行するデータ解析部とを具備することを特徴とする眼科用検査装置。
【請求項２】
前記データ解析部は、
虹彩の中心側における第1の曲率半径および、虹彩の周辺側における第２の曲率半径を算出することを特徴とする請求項１記載の眼科用検査装置。
【請求項３】
前記データ解析部は、
虹彩の曲率半径を算出する際に、
算出された複数の位置座標を最小二乗法に基づいて虹彩の表面曲線を二次曲線で近似するステップと、
算出された二次曲線を線形最小二乗法に基づいて円の方程式に近似させて、円の中心及び円の半径を算出するステップと、
算出された円の中心及び円の半径を初期値として非線形最小二乗法に基づいて虹彩の表面曲線を円の方程式に近似させるステップとを実行することにより、虹彩の曲率半径を算出することを特徴とする請求項1または請求項２記載の眼科用検査装置。
【請求項４】
前記データ解析部は、
非線形最小二乗法によって得られた近似円の中心位置が、虹彩に対して角膜側にあるか後房側にあるかを検出することを特徴とする請求項３記載の眼科用検査装置。
【請求項５】
算出された曲率半径を表示する表示部を具備することを特徴とする請求項１〜請求項４のうちのいずれか1項記載の眼科用検査装置。
【発明の詳細な説明】
【技術分野】
【０００１】
本発明は緑内障等の眼科疾患の検査に使用する眼科用検査装置に関する。
【背景技術】
【０００２】
緑内障は、主に眼圧の上昇が原因として視神経が冒され、視野異常や視力低下を来す疾患であり、眼科での失明原因の上位にある疾患である。
図２７に眼の断面構造を示す。符号１０が眼球の前面にある透明な膜である角膜、符号１２が水晶体の前方に位置し、入力する光の量を調整することを主な働きとする虹彩、符号１４が水晶体、符号１６がゼリー状の透明な組織からなる硝子体である。水晶体１４はチン小帯を介して毛様体１７に吊されるようにして支持されている。
角膜１０と水晶体１４、虹彩１２によって囲まれる領域を前房１８といい、虹彩１２と硝子体１６とで囲まれた部分を後房という。前房１８と後房１９は透明な房水によって満たされている。房水は酸素や栄養分を眼内の各組織に運び、眼内各組織の老廃物を眼外に運ぶ作用をなすものであり、毛様体１７でつくりだされ、後房１９から前房１８に向けて循環した後、角膜１０と虹彩１２によって挟まれた角の部分（図のＡ部分：隅角という）から静脈中に排出される。
【０００３】
眼圧は眼球内の圧力を示し、房水の産生、排出のバランスによって決定される。すなわち、房水の排出能力が低下するか、産生能力が亢進すると眼圧は上昇し、逆に排出能力が亢進するか、産生能力が低下すると眼圧は低下する。緑内障は、ほとんどの場合、房水の量が増えることによって眼圧が上昇したことによるのではなく、房水が眼外に排出される量が減り、それによって眼圧が上昇することにより発症する。房水の産生量は眼外に排出される量に関わらず毛様体でほぼ一定であるため、隅角から排出される房水の量が抑えられると眼圧が高くなる。
【０００４】
このように眼外に房水が排出される量が減少し眼圧が上昇する原因としては、房水が排出される隅角に形成されている網目状の組織、線維柱帯、における房水の透過性が低下し、房水が排出されにくくなる場合（開放隅角緑内障）と、隅角部そのものが本来狭く、何らかの理由で前房１８と後房１９の圧格差が生じた際に、虹彩１２が背面側から角膜１０の側に押され、虹彩１２の根部が隅角部を閉塞するために房水が排出されなくなる場合（閉塞隅角緑内障）とがある。
【０００５】
開放隅角緑内障は眼圧上昇がゆるやかで症状がゆっくり進行するのに対して、閉塞隅角緑内障は房水の出口が塞がれることによって急激に眼圧が上がり、症状が急速に進んで、数日のうちに失明する場合もあるといった差異がある。開放隅角緑内障と発作前の閉塞隅角緑内障はともに自覚症状がないことと、とくに閉塞隅角緑内障は発症すると症状が急激に進む性質があることから、発症の危険性があるか否かをあらかじめ診断することはきわめて重要である。
この開放隅角緑内障と閉塞隅角緑内障のうち、開放隅角緑内障は隅角部分の形状は健常者と非常に類似しているため隅角所見から診断することは難しいが、閉塞隅角緑内障については隅角や前房の深さを調べ、その間隔が狭くなっている場合には、閉塞隅角緑内障が発症する可能性があるとして治療を施すことによって緑内障の発症を未然に防止することが可能である。
【０００６】
緑内障の発症を未然に防止すべく、角膜内皮面と虹彩との間隔（前房深度）を調べることが眼科医によって行われている。この方法では、眼科医が、角膜に検査用のレンズ（隅角鏡）を当てて前房部分の形状を視認しており、潜在患者をみつけるため多数人に対してこのような専門的な診断検査を行なわなくてはならない。
したがって、このように検査用のレンズを使用して検査する方法は、実際には、緑内障のおそれがある場合に、眼科医が行っている程度である。
【０００７】
なお、検査用のレンズを使用せずに、スリット光（スリットランプ）を使用して角膜と虹彩との間隔を検査する方法もある。
この方法は角膜と虹彩との間隔を単に視認してその間隔の広狭を定性的に評価するだけであり、検査用のレンズを使用して診断する方法にくらべるとはるかに精度が落ちるという問題と、虹彩の基部（隅角）についてはその間隔を明確に見ることが難しく、的確な診断が難しいという問題がある。
【０００８】
そこで、本発明者等は、眼科診療において、検査用のレンズを使用するといった専門医でなければならない操作によらずに閉塞隅角緑内障あるいは前房部分における眼科疾患についての検査が可能で、これによって被検者に負担を強いることなく検査することができる検査装置を提案した（特許文献1）。
【０００９】
【特許文献１】特開２００６−８７６１４号公報
【発明の開示】
【発明が解決しようとする課題】
【００１０】
上述した従来の検査装置では、虹彩と角膜内皮面との間の距離である前房深度を容易に測定することが可能になった。
しかし、前房深度だけを測定できたとしても、虹彩の位置はわかるが、さらに正確に眼生理機能や眼疾患病態を把握するには、虹彩の形状を知ることが必要である。
虹彩の形状が分かれば閉塞隅角緑内障を発症しやすいかどうか、また前房圧と後房圧のいずれの圧力が高いか、などの状態を把握することができる。例えば、虹彩の表面形状が曲率半径の小さい円弧であれば、隅角にある房水の出口が圧迫されており閉塞隅角緑内障を発症しやすいなどの病態を把握することができる。
【００１１】
なお、画像として虹彩の形状を把握できればよいのであれば、図２８に示すように、超音波生体顕微鏡で詳細な写真を撮像することもできる。しかしながら、超音波生体顕微鏡であっても、虹彩の形状を定量的に把握することができない。
【００１２】
このように、従来からの装置では、虹彩の形状を定量的に把握できないため、眼生理機能や眼疾患病態を正確に把握することができず、虹彩の形状を定量的に測定して眼生理機能や眼疾患病態をさらに容易且つ正確に把握できる装置が望まれているという課題があった。
【００１３】
そこで、本発明は上記課題を解決すべくなされ、その目的とするところは、容易且つ正確に眼生理機能や眼疾患病態を把握できるように、虹彩の形状を定量的に測定可能な眼科用検査装置を提供することにある。
【課題を解決するための手段】
【００１４】
上記課題を解決するため、本発明は次の構成を備える。
すなわち、本発明にかかる眼科用検査装置によれば、被検眼の前眼部を検査するための眼科用検査装置において、被検眼の前眼部に向け、瞳孔領から虹彩の周辺部にわたりスリット光を投射するスリット光投射光学系と、該スリット光投射光学系によって投射されるスリット光を走査させるように、スリット光投射光学系を移動制御する駆動装置と、前記スリット光投射光学系によって投射されたスリット光の反射光によって得られる前眼部の断面画像を、スリット光の移動に合わせて複数回撮影する撮影光学系と、前記撮影光学系によって撮影された断面画像を画像解析して、被検眼の複数の位置における前房深度を算出するステップと、算出された複数の前房深度に基づいて虹彩表面の複数の位置座標を算出するステップと、算出された複数の位置座標に基づいて、虹彩の曲率半径を算出するステップとを実行するデータ解析部とを具備することを特徴としている。
この構成を採用することにより、測定した前房深度に基づいて虹彩の曲率半径を算出できるので、定量的な虹彩の形状を知ることができる。
【００１５】
また、前記データ解析部は、虹彩の中心側における第1の曲率半径および、虹彩の周辺側における第２の曲率半径を算出することを特徴としてもよい。
この構成によれば、中心側と周辺側の曲率半径を比較することができる。このため、様々な症例の判定をすることができる。
【００１６】
また、前記データ解析部は、虹彩の曲率半径を算出する際に、算出された複数の位置座標を最小二乗法に基づいて虹彩の表面曲線を二次曲線で近似するステップと、算出された二次曲線を線形最小二乗法に基づいて円の方程式に近似させて、円の中心及び円の半径を算出するステップと、算出された円の中心及び円の半径を初期値として非線形最小二乗法に基づいて虹彩の表面曲線を円の方程式に近似させるステップとを実行することにより、虹彩の曲率半径を算出することを特徴としてもよい。
この構成によれば、まず二次曲線に近似させ、その後線形最小二乗法によって円の方程式の初期値を算出し、この初期値を用いて非線形最小二乗法を用いて円に近似させるので、虹彩の表面形状を精度良く円にあてはめることができ、虹彩の形状の定量的な把握がしやすい。
【００１７】
さらに、前記データ解析部は、非線形最小二乗法によって得られた近似円の中心位置が、虹彩に対して角膜側にあるか後房側にあるかを検出することを特徴としてもよい。
すなわち、円の中心位置が虹彩の後房側にある場合には、虹彩が角膜側に突出する方向に形成されていることが把握でき、円の中心位置が虹彩よりも角膜側にある場合には、外傷等で虹彩が変形しているということを把握することができる。
【００１８】
なお、算出された曲率半径を表示する表示部を具備することを特徴としてもよい。
【発明の効果】
【００１９】
本発明に係る眼科用検査装置によれば、被検眼の虹彩の形状を定量的な測定データとして検知することができ、これによって被検者の眼科疾患、たとえば閉塞隅角緑内障の発症の可能性等について的確な検査を行うことが可能となる。
【発明を実施するための最良の形態】
【００２０】
以下、本発明に係る眼科用検査装置の具体例について図面とともに詳細に説明する。
本発明に係る眼科用検査装置は、被検者の眼にスリット光を投射し、被検眼の角膜および虹彩の断面画像を撮影することによって前眼部の断面形状を、検査用のレンズ等を使用することなく定量的に測定可能としたものであり、特に虹彩の形状を円に近似した上でその曲率半径を算出できるようにしたものである。
【００２１】
図１は、本発明に係る眼科用検査装置２０の一実施形態の全体構成を示す斜視図である。図２は眼科用検査装置２０全体の内部構成を示すブロック図である。
本実施形態の眼科用検査装置２０は、スリット光投射光学系７０ａ，７０ｂおよび撮影光学系８０等を含む測定光学系を収納する測定部３０と、測定部３０を３軸駆動により位置制御する駆動装置４４および測定部３０での測定データを解析するデータ解析部４５および動作制御部４６を収納する架台部４０と、測定操作を行うための操作パネル５０とを有している。
眼科用検査装置２０は、架台部４０の上方に測定部３０が配置され、測定部３０の上方に操作パネル５０が配置されて構成される。
【００２２】
操作パネル５０は、測定者等が本検査装置を操作するためのものであり、架台部４０の後部に立設されたモニターアーム５２により、測定部３０の上方位置に支持されている。
操作パネル５０は前面に検査結果等を表示するモニター部５３が設けられ、モニター部５３の周縁部に操作ボタン５４が配されている。この操作パネル５０は、モニターアーム５２により、測定部３０の上方で水平方向に揺動可能に設けられ、本実施形態では、装置の前面側で左右に約４５°の角度範囲（全回動角は９０°）で揺動可能である。また、操作パネル５０の後面には、小型のプリンタ５５が設置され、計測結果をプリントして出力することが可能となっている。
操作ボタン５４は、動作制御部４６に接続され、操作された際に操作ボタン５４から出力される操作信号に基づいて動作制御部４６が該当する動作を実行するように制御可能となる。また、モニター部５３は、データ解析部４５に接続され、解析された検査結果を表示させる。同様に、プリンタ５５もデータ解析部４５に接続され、測定者の操作に応じて解析結果を出力するように制御される。
【００２３】
測定部３０に設けられた、被検者の右眼あるいは左眼に向けて前房深度を計測するためのスリット光を投射するスリット光投射光学系７０ａ，７０ｂと、被検眼と測定光学系とを正確に位置合わせするためのアライメント光を投射するアライメント光学系９０と、被検眼からの反射光を検知する撮影光学系８０は、測定部３０の外面を覆うように設けられたケーシング３２内に収納されている。
【００２４】
ケーシング３２の前面には、撮影光学系８０用の窓１１０が設けられている。この窓１１０の左右両側のそれぞれには、上下方向に３つ並ぶ透過窓１１１，１１２，１１３が設けられている。
透過窓１１１，１１３は、瞳孔径が大きい被検者を検査する際に縮瞳させる操作を行うため、縮瞳用の光源９５からの投射光を被検眼に投射するための透過窓である。
また、中段の透過窓１１２は、左右方向および上下方向（Ｘ−Ｙ方向）の位置合わせに用いられる光源の透過窓である。
【００２５】
架台部４０の前側には、被検者の頭部を支持するための顎受け６１と額当て６２が配置されている。顎受け６１は顎台部６３に支持され、顎台部６３から両側方に延出するハンドル６４を回動操作することにより、顎受け６１が上下動して被検者の眼の高さ位置が調節可能となっている。
【００２６】
図３に、動作制御部のブロック図を示す。
動作制御部４６は、ＣＰＵ４７と、ＲＯＭ４９およびＲＡＭ４８から成るメモリとを有している。ＲＯＭ４９には、予め所定の動作をＣＰＵ４７に実行させて動作制御を実行させるための制御プログラムが記憶されている。ＣＰＵ４７が、ＲＯＭ４９内の制御プログラムを読み出して実行することによって駆動装置４４並びにスリット光投射光学系７０ａ，７０ｂ、アライメント光学系９０及び撮影光学系８０が所定の動作を行うように、制御信号を出力する。
【００２７】
図４に、データ解析部のブロック図を示す。
データ解析部４５は、撮影された画像データに基づいてデータ解析を実行する機能を有しており、架台部４０内に設けられている。
データ解析部４５は、ＣＰＵ１００と、ＲＯＭ１０３およびＲＡＭ１０２から成るメモリと、ハードディスク等の記憶装置１０４とを有している。ＲＯＭ１０３またはハードディスク１０４には、予め所定の動作をＣＰＵ１００に実行させてデータ解析を行うためのデータ解析プログラムが記憶されている。ＣＰＵ１００が、ＲＯＭ１０３またはハードディスク１０４内のデータ解析プログラムを読み出して実行することによって検査装置におけるデータ解析を実現できる。なお、データ解析プログラムとしては、表計算アプリケーションソフトのマクロ機能で簡易的に実現することも可能である。
【００２８】
また、上述してきた形態では、動作制御部４６とデータ解析部４５とで異なるＣＰＵが、動作制御およびデータ解析のそれぞれの機能を実行するように説明してきたが、実際には動作制御部４６とデータ解析部４５とで１つのＣＰＵが共通に用いられ、この１つのＣＰＵが動作制御とデータ解析の両方の機能を実行するようにしてもよい。
【００２９】
続いて、測定部３０に設けられている測定光学系の構成について説明する。
図５は、測定部３０に設けられているスリット光投射光学系７０ａ、７０ｂと撮影光学系８０と、アライメント光学系９０と、縮瞳用の光源９５を示す。
本実施形態においては、スリット光投射光学系７０ａ，７０ｂを右眼用と左眼用とで独立させ、右眼と左眼の検査に応じて、右眼用のスリット光投射光学系７０ａと左眼用のスリット光投射光学系７０ｂを使用するように構成している。スリット光投射光学系７０ａ、７０ｂは、スリット光を投射する光源としてのハロゲンランプ７１、複数の光学レンズからなる光学系７２ａ、７２ｂ、スリット７３およびミラー７４とを備える。これらのスリット光投射光学系７０ａ、７０ｂは被検眼の視軸に対して所定角度傾斜した方向（本実施形態では角度６０°）からスリット光が投射されるように設定されている。
【００３０】
撮影光学系８０は、左右に配置されたスリット光投射光学系７０ａ、７０ｂに挟まれた中央位置に配置される。撮影光学系８０は、顕微鏡光学系８１とCCDカメラ８２とを備える。CCDカメラ８２は光軸に対して所定角度傾けるようにして制御される。図５で１の位置は、被検眼にスリット光を位置合わせするオートアライメント操作時におけるCCDカメラの向き、２は左眼用のスリット光投射光学系７０ｂを使用する場合のCCDカメラの向き、３は右眼用のスリット光投射光学系７０ａを使用する場合のCCDカメラの向きを示す。
なお、８３は固視灯の光源であり、８４は光源８３からの光を被検眼に向けて反射するミラーである。本実施形態では、撮影光学系の受光量をできるだけ阻害しないように、細幅に形成したミラー８４を使用して固視灯を呈示するようにしている。
【００３１】
アライメント光学系９０は、アライメント光として用いる赤色光あるいは赤外光を放射するＬＥＤ９１、スリット９２、ミラー９３からなる。アライメント光学系９０の撮影光学系８０の光軸に対して水平面内で対称配置には、ＬＥＤ９１の反射光を撮影光学系８０に入力させるためのミラー９７が配置されている。撮影光学系８０の光軸上には、ビームスプリッター９９が配置されており、ミラー９７によって反射されたアライメント光学系９０の反射光を撮影光学系８０と同一の光軸に入力させて、CCDカメラ８２によって撮影できるようにする。
縮瞳用の光源９５は、白色ＬＥＤを光源として使用し、測定部３０の前部近傍に配置される。本実施形態の装置では、縮瞳用として白色ＬＥＤを４個配置している。
【００３２】
これらのスリット光投射光学系７０ａ、７０ｂおよび撮影光学系８０等からなる測定光学系は測定部３０の底板を支持ステージとして固定支持され、底板が架台部４０に収納されている３軸制御による駆動装置に固定されている。３軸制御による駆動装置は、スライドガイド等のガイド機構と、ボールねじおよびボールねじを回動駆動するサーボモータ等の駆動部を備える公知の機構による。
３軸制御の駆動装置は、底板をＸ−Ｙ方向およびＺ方向へ移動制御し、スリット光投射光学系７０ａ、７０ｂおよび撮影光学系８０を含む測定光学系をＸ−Ｙ方向およびＺ方向に移動制御する。なお、Ｘ−Ｙ方向とは鉛直面内での移動方向をいい、Ｚ方向とは水平方向の移動方向をいう。具体的には、Ｘ方向が目に対して横方向（水平方向）、Ｙ方向が目に対して上下方向（鉛直方向）、Ｚ方向が目に対して前後方向（水平方向）をいう。
本実施形態では、Ｘ方向（被検眼に対して左右方向に移動する方向）には右眼と左眼の検査用として１００ｍｍ程度移動するように設定され、Ｙ方向には±１５ｍｍ、Ｚ方向（被検眼に対して前後方向に移動する方向）には±１５ｍｍ移動可能に設けられている。
【００３３】
次に、図１に示した眼科用検査装置を用いて、実際に検査を行う場合の操作方法、および検査によって得られるデータの解析方法等について、各図面とともに説明する。
まず、被検者を検査装置の前に座らせ、顎受け６１と額当て６２により被検者の頭部が位置ずれしないようにした後、被検者に固視灯を注視するように促す。
本実施形態においては、図６に示すように、ミラー８４を使用して固視光源を呈示するようにしている。ミラー８４を使用する場合は、撮影光学系８０の光路を遮ることになるから、本実施形態では、光路を広く遮らないように、ミラー８４を上下方向に細長い形状（１ｍｍ幅）にするとともに、ミラー８４の上下中央部に固視用の黒点Ｂを設けている。図のＡ部分は、光源８３の光（赤色）がミラー８４によって反射される領域（視野角度１０°）を示す。
【００３４】
ミラー８４をこのように細長く形成すると、測定開始時のセッティング時に、被検眼が正規の位置からずれていて、被検者からは黒点Ｂを視認できない場合でも、赤色のＡ部分については容易に視認することが可能になる。赤色が視認できた場合には、ハンドル６４を回して、黒点Ｂが見える位置に頭部の高さを調節することができる。
ミラー８４を使用する方法は、ミラー８４のかわりにハーフミラーを使用する方法とくらべて、撮影光学系８０による被検眼からの反射光の受光量が減じることを抑えることができ、測定精度を上げることが出来るという利点がある。
【００３５】
図７に、眼科用検査装置の全体動作を説明するフロー図を示す。
固視ができたところで、右眼の検査を開始する。測定の開始操作は、操作パネル５０の操作ボタン５４を測定者等の人が押下することによって行う。もちろん、左眼から検査を開始してもよい。
操作ボタン５４が押下されると、動作制御部４６およびデータ解析部４５が、制御プログラムおよびデータ解析プログラムに基づき、以下の動作を実行する。
測定開始後に、最初に行われる操作は、オートアライメント・測定操作（ステップＳ１００）である。
【００３６】
図８に、オートアライメント・測定動作の制御フローを示す。
動作制御部４６は、測定開始時に被検眼の位置に測定光学系を正確に位置合わせするアライメント制御を行う。本実施形態の検査装置におけるアライメント制御は、以下のようにして行う。
図９に、撮影光学系８０のCCDカメラ８２で見た被検眼の様子を示している。図９の左図には、CCDカメラ８２の光軸に対して右斜め上に３つの光が写っていることが確認できる。この３つの光のうち左右両側の光は、透過窓１１２から透過された位置合わせ用の光源からの反射光であり、中央の光は固視灯８３の反射光である。
図９の右図が位置合わせ用の光源からの反射光の中心を撮影光学系８０の光軸に合わせたところを示す。このように、位置合わせ用の光源からの反射光の中心を撮影光学系８０の光軸に合わせることにより、左右方向および上下方向（Ｘ−Ｙ方向）の位置合わせができる。
このようなアライメントは、データ解析部４５が検知した位置合わせ用の反射光の位置に基づいて、動作制御部４６が、測定部３０をＸ−Ｙ方向に移動調節することで実行される。
【００３７】
図１０に前後方向のアライメント制御の原理図を示す。本実施形態の眼科用検査装置では、アライメント光学系９０が右側位置に配置されており、アライメント光学系９０からアライメント光を被検眼に向けて投射し、角膜から反射されるアライメント光が左側のミラー９７を経てCCDカメラ８２によって検知されることによってアライメントする。アライメント光には赤外線を使用している。
【００３８】
図１０のＩ図は、基準となるべき位置よりも角膜が前方に位置している場合である。このとき、アライメント光学系９０から入射されたアライメント光は被検眼の角膜の右側で反射するので、角膜からの反射光は撮影光学系８０のCCDカメラ８２から見ると光軸よりも左側にずれる。
一方、図１０のII図は、基準となるべき位置よりも角膜が後方に位置している場合である。このとき、アライメント光学系９０から入射されたアライメント光は被検眼の角膜の左側で反射するので、角膜からの反射光は撮影光学系８０のCCDカメラ８２から見ると光軸よりも右側にずれる。
こうして、データ解析部４５では、CCDカメラ８２から見たアライメント光の光軸に対するずれを検出し、動作制御部４６が測定部３０の前後方向の位置を調節することによって角膜の頂部にスリット光投射光学系７０ａ、７０ｂの投射位置を合致させることができる。
【００３９】
オートアライメント操作は、前述したように、データ解析部４５と動作制御部４６によって、被検眼と測定光学系とをＸ−Ｙ方向について位置合わせし（ステップＳ２００）、角膜頂点位置の検出（Ｚ方向の位置合わせ）を行う（ステップＳ２０２）ことによってなされる。
【００４０】
アライメント後、データ解析部４５は、角膜の中心膜厚を測定する（ステップＳ２０４）。
アライメント操作によって測定光学系の中心光軸は被検眼の瞳孔の中心（被検眼の頂点）に位置合わせされているから、この点で左右のスリット光投射光学系７０ａ、７０ｂからスリット光を投射し、撮影光学系で被検眼からの反射光を視認する。スリット光は角膜の前面と後面で反射し、角膜の厚さ部分を検出することができる。そして、データ解析部４５は、左右のスリット光投射光学系７０ａ、７０ｂによる測定値を平均して中心角膜厚とする。左右のスリット光投射光学系７０ａ、７０ｂを用いて測定することで、測定精度を高めることができる。実際の角膜の厚さは、データ解析部４５において、検出結果データを角膜の屈折率等を考慮して換算して求められる。
【００４１】
まばたきや、眼が動いてしまった場合には、角膜厚の値が適切値として得られない。そこで、ステップＳ２０６では、データ解析部４５が角膜厚の値が適切か否かを判定し、適切でないと判断した場合には、ステップＳ２００に戻って位置合わせから再度実行され、適切であると判断した場合は、次の角膜の曲率半径を測定するために操作部３０を走査開始位置に移動させるステップＳ２０８に進む。
動作制御部４６は、測定光学系を被検眼の頂点位置に合致するように位置合わせし、その状態から上述したように測定光学系を移動（ステップＳ２０８）させる。データ解析部４５は、この位置で角膜の曲率を検出する（ステップＳ２１０）。
【００４２】
図１１には、角膜の曲率半径を測定する方法を示す。
角膜の曲率半径の測定は、被検眼の角膜の頂点位置と検査装置の光学系のフォーカス位置（光路の交差位置）が一致した状態から、所定距離（本実施形態では３．９ｍｍ）検査装置の光学系を被検眼の奥側に移動させた位置でデータ解析部４５が画像を取り込むことによってなされる。
図１１は、被検眼に対してスリット光１が角膜の頂点位置からＤだけ奥側に移動した状態を拡大して示す。同図でスリット光２は、測定光学系を被検眼の頂点位置から横方向に移動させた状態でのスリット光である。
データ解析部４５は、スリット光２を仮想的に延長し、ｚ軸と交わるまでの延長線をａ、そのｚ軸方向の長さをｂ、ａのｙ軸方向の長さをｈ、ａとｚ軸とのなす角をθとする。角膜頂点からスリット光２が眼に入射するまでのｚ軸方向の長さをｚとする。
【００４３】
ｚはｂと検査装置の光学系の移動量Ｄから求めることができ、データ解析部は、角膜の曲率半径Ｒを、Ｄ、ｈ、θから次式によって求める。
すなわち、ｂ＝ｈ／tanθ、ｚ＝Ｄ−ｂ＝Ｄ−ｈ／tanθ、ｃ＝Ｒ−ｚ、
Ｒ2−ｈ2＝ｃ2 →Ｒ2−ｈ2＝（Ｒ−ｚ）2→Ｒ＝（ｚ2＋ｈ2）／２ｚ
＝（（Ｄ−h/tanθ）2＋ｈ2）／２（Ｄ−h/tanθ）
なお、ｈの値は画像データを換算して求めるものである。
【００４４】
そして、データ解析部４５は、得られた角膜の曲率値が適切であるかを判断し（ステップＳ２１２）、角膜の曲率値が適切であると判断されたときに、前房深度を測定する操作に移行する（ステップＳ２１４）。角膜の曲率値が適切でないと判断された場合には、再度、被検眼と測定光学系との位置合わせ（アライメント）操作に戻って測定を行う。
【００４５】
前房深度の測定は、動作制御部４６が被検眼に対して測定光学系を水平にスキャン移動させ、スリット光投射光学系７０ａ、７０ｂから被検眼に投射したスリット光が被検眼から反射される光を撮影光学系８０によってとらえることによってなされる。
本実施形態においては、動作制御部４６が、スリット光投射光学系７０ａ、７０ｂを瞳孔の中心から虹彩の周辺部に向け、６０°の投射角度を維持したまま前眼部を走査するように移動させ、データ解析部４５がデータを取得する。スキャン移動に要する時間は０．５秒間程度である。短時間で検査することによって、固視の揺れや瞬きを防止して測定精度を上げることができる。
スリット光投射光学系７０ａ、７０ｂからは被検眼に対して斜め方向からスリット光を投射するから、被検眼が右眼か左眼かによってスリット光の投射方向を左方向と右方向に変え、瞳孔の中心側から耳側にスリット光を移動させて、鼻などでスリット光が遮られないようにして測定する。
【００４６】
データ解析部４５では、測定光学系がスキャン移動する際に取り込んだ角膜と虹彩等の断面画像をデータ解析し、操作パネル５０のモニター部５３に解析結果を表示し、測定データをプリンタ５５から出力する。
図１２は、実際の測定データの例を示すもので、測定光学系をスキャン移動して得られた画像データを示す。スキャン移動の際には瞳孔の中心から虹彩の周辺部に向けて所定間隔で２１枚の画像データが取得される。
【００４７】
図中で左側で白く光っている部分が角膜の断面を示す。瞳孔の中心から虹彩の周辺部に進むにしたがって徐々に右側にずれているのは角膜が湾曲しているためである。角膜の断面（白い部分）から角膜の厚さを解析することができる。
角膜の後方で白く光っている部分が虹彩の像である。この虹彩の断面像から、角膜の後方に所定間隔をあけて虹彩があること、虹彩の周辺部に近づくにしたがって、角膜との間隔が狭くなってくることがわかる。
【００４８】
図１２に示す測定データに基づいてデータ解析部４５の解析により、前房深度を数値データとして得る（ステップＳ２１６）。
ただし、前房深度の解析に際しては、測定データについて補正を行うことによって、より精度の高い検査結果を得ることが可能である。
図１３は、測定データを補正するとともに、虹彩形状を定量的に算出するフロー図を示す。
測定データを補正する操作としては、まず、測定中に被検者の頭が動いたり、眼が固視されていなかったりしたことによって、誤った測定データが得られることがあることを補正する。このため、データ解析部は、画像として取り込まれている固視灯の位置と理論的な固視灯の位置からのずれ（Ｘ−Ｙ方向のずれに相当する）を検出し、その検出値に基づいて測定データを補正する（ステップＳ３００）。これによってより正確な前房深度を得ることができる。
【００４９】
また、画像として取り込まれた角膜の像と、角膜の曲率半径から理論的に得られる位置とのずれから、Ｚ方向の固視不良や位置ずれを計算で求めることができる。ステップＳ３０２においては、データ解析部４５が、このＺ方向のずれによる補正を前房深度の測定データに施す。
また、前房深度測定では、測定光学系をスキャン移動させながら一定間隔でデータを収集するから、角膜上皮の位置は変化量がほぼ一定の状態で移動していく。しかしながら、角膜から強膜に移る位置までくると、その変化量が変わる（やや、膨らみ状となる）。ステップＳ３０４では、データ解析部４５が、この角膜上皮の位置の変化量から角膜の輪部を決定し、ステップＳ３０６及びステップＳ３０８で角膜厚と角膜曲率半径から前房深度の測定データに補正を加える。
【００５０】
なお、被検者は、測定部３０に対して、正対して測定を受ける必要があるが、顔をわずかに左や右に向けた状態で顎受け６１に顔をのせてしまう場合や、測定中に額当て６２から額が離れてしまうような場合がある。このような場合には、右眼と左眼による測定結果に差が出るといった不正確な測定になってしまうことがある。
そこで、上述したように固視灯の位置や、角膜の位置と比較することによって測定データを補正する方法は、測定時に顔が位置ずれしたような場合でも、正確な測定結果を得ることが可能になり、より精度の高い測定が可能になる。
【００５１】
図１４に、データ解析部４５によって測定、補正された前房深度の測定結果の例を示す。ここで、測定位置とは、最初にスリット光を投射した位置を０とした場合、この位置からＸ方向に移動した距離（ｍｍ）を表している。
データ解析部４５は、この図１４に示した結果を用い、補正を加えられた前房深度に基づいて虹彩の形状を定量的に算出するステップＳ３１０を実行する。
【００５２】
図１５に、虹彩の定量的な形状を決定する原理について示す。
データ解析部４５は、ステップＳ２０２で規定した角膜頂点を原点Ｏとし、後房側をＺ方向、スリット光の移動方向をＸ方向にとり、虹彩の表面の位置座標に基づいて、虹彩の表面を円の方程式で近似し、この円の方程式に基づいて半径ｒを算出する。また、データ解析部４５は、円の中心位置（ｘ、ｚ）を算出する。
【００５３】
次に、図１６〜図１８に、測定された虹彩の形状の例について説明する。
図１６に示す例では、虹彩の曲率半径が８．５ｍｍであり、虹彩の角膜側への突出が大きいものを示している。このような虹彩が検出された場合、一般的に遠視であり、前房深度が狭く閉塞隅角緑内障を発症する危険性が高い。
図１７に示す例は、図１６に示した被検者に対して水晶体摘出術及び人工レンズ挿入術を施工したものを示している。このような手術により、虹彩面がほぼ平坦になった（曲率半径１１５ｍｍ）。そして、前房深度は非常に広くなり、閉塞隅角緑内障の発症の危険性はほとんど無くなった。
図１８に示す例は、虹彩の近似円の中心が虹彩よりも角膜側に中心を有しており、通常の場合と湾曲方向が反対となっている（曲率半径−２２．３ｍｍ）。この例では、外傷によって隅角が損傷したと考えられる。
【００５４】
続いて、図１９のフローに基づいて、虹彩の形状を定量的に算出する方法について説明する。
まず、ステップＳ４００において、データ解析部４５は、図１４に示したような前房深度の測定結果に基づいて、虹彩表面にスリット光が投射された各点における位置座標（ｘｉ、ｚｉ）を算出する。
【００５５】
この位置座標の算出の原理を図２０に示す。
各位置座標（ｘｉ、ｚｉ）は、スリット光の角膜内皮面における交点（ｘθｉ、ｚθｉ）と、角膜内皮面から前房内へスリット光が出射したときの出射角θとに基づいて算出される。
具体的には、以下のような式に基づいて算出が可能である。
ｘｉ＝ｘθｉ−Δｘ＝ｘθｉ−ＡＣＤｓｉｎθ
ｚｉ＝ｚθｉ＋Δｚ＝ｚθｉ＋ＡＣＤｃｏｓθ
ここで、Δｘは、位置ｘｉから位置ｘθｉまでのＸ方向の距離である。Δｚは、位置ｚｉから位置ｚθｉまでのＺ方向の距離である。ＡＣＤは、算出された前房深度（ＡＣＤ：Anterior Chamber Depth）である。
なお、スリット光の角膜内皮面における交点（ｘθｉ、ｚθｉ）および角膜内皮面から前房内へスリット光が出射したときの出射角θは、標準的な眼の形状をモデルとして光線追跡をして算出する。
【００５６】
次のステップＳ４０２では、データ解析部４５は、算出された虹彩表面の複数の位置（ｘｉ、ｚｉ）を最小二乗法によって二次曲線の方程式に近似させる。
ここで得られる二次曲線は、ｚ＝ａｘ２＋ｂｘ＋ｃで表すことができ、このステップＳ４０２で二次方程式の定数ａ、ｂ、ｃ、を算出する。
【００５７】
そして、データ解析部４５は、ステップＳ４０４において、近似して得られた二次曲線の方程式を線形最小二乗法によって円の方程式に近似させる。線形最小二乗法では、初期値設定を必要としないので、近似は容易に行えるが精度があまり高くない。
ここで得られる円の方程式は、（ｘ−ｘ０）２＋（ｚ−ｚ０）２＝ｒ２で表すことができ、このステップＳ４０４で円の中心位置の初期値（ｘ０、ｚ０）と、円の半径の初期値ｒを算出する。
【００５８】
続いて、データ解析部４５は、ステップＳ４０６において、得られた円の方程式の初期値に基づいて、非線形最小二乗法によってさらに円の方程式に近似させる。非線形最小二乗法では解が収束せずに発散する場合も生じるが、前のステップＳ４０４において算出された初期値を用いているので、確実に解を収束させることができる。
ここで得られる円の方程式は、
ｆ（ｘ、ｚ）＝（ｘ−ｘ０）２＋（ｚ−ｚ０）２−ｒ２
で表すことができ、このステップＳ４０６で最終的に、虹彩表面の形状に近似した円の方程式が算出される。
【００５９】
そして、ステップＳ４０８おいて、データ解析部４５では、円の中心位置が虹彩よりも角膜側にあるか後房側にあるかを判断する。データ解析部４５は、角膜側に円の中心が存在する場合には、算出された半径ｒにマイナス（−）の符号を付け、測定者にわかりやすい表示・BR>ニなるようにする。
そして、ステップＳ４１０では、データ解析部４５は算出された円の方程式に基づいて、モニター部５３に円の中心位置（ｘ０、ｚ０）と、円の半径ｒを表示させるようにデータを出力する。
【００６０】
上述してきたように、本実施形態では、虹彩の表面形状を二次曲線近似を行った後に円近似を実行しているので、虹彩の表面形状をより正確に定量的に把握することができる。
図２１（ａ）は、単に測定された虹彩の表面形状を表しており、図２１（ｂ）では、二次曲線近似を行わずに円近似を行った場合を示しており、図２１（ｃ）では、二次曲線近似を行ってから円近似を行った場合を示している。これらの図を比較すると分かるように、本来の虹彩の表面形状は必ずしも円の一部に合致するものではないが、二次曲線近似を行ってから円近似を行うことで、極めて虹彩の表面形状に沿った形状の円近似を行え、虹彩の表面形状の定量的な把握を正確に行える。
【００６１】
以下、図７のフロー図のステップＳ１０２に戻って、全体動作の説明の続きを行う。
データ解析部４５は、ステップＳ１００によりオートアライメント・測定操作が終了した後、瞳孔径の判定を行う（ステップＳ１０２）。瞳孔径の判定とは、瞳孔径には個人差があり、瞳孔径が大きい人の場合には前房深度の測定ポイント数が少なくなるために、正確な前房深度が測定できないことから、そのような場合には、強制的に縮瞳させ（ステップＳ１０３）、測定ポイント数を増やして測定しなおすことができるようにするためのものである。
【００６２】
図２２に縮瞳させる前の状態と、縮瞳させた後の状態を説明的に示す。図２２(a)は、縮瞳させる前の状態で、瞳孔径が大きいために前房深度を測定する虹彩１２の領域が狭く、スリット光をスキャン移動させた際の測定ポイント数が少なくなってしまうことを示す。これに対して、図２２(b)は、縮瞳させたことで虹彩１２がしぼられ、前房深度の測定ポイント数が増えることを示している。
縮瞳させる操作は、測定部３０に設けられた白色ＬＥＤの光源９５を点灯することによって行う。白色ＬＥＤ光源を点灯することで、強制的に縮瞳され、前房深度の測定ポイント数を増やして測定することができる。
【００６３】
なお、縮瞳操作によって前房深度を測定する方法は、測定ポイント数を増やすという目的の他に、閉塞隅角緑内障の発症危険性が高い眼は、そうでない眼にくらべて、縮瞳時と通常瞳孔時における周辺前房の形態が異なると言われており、通常瞳孔時における測定結果と縮瞳時における測定結果とを比較することによって、より正確に緑内障の発症危険性を検出することが可能になる。したがって、緑内障の発症危険性があるような場合に、マニュアル的に縮瞳操作を行うようにすることもできる。
【００６４】
瞳孔径の判定で問題なしとされた場合には、その状態で複数回の測定を行う（ステップＳ１０４）。そして、複数回の測定データを平均化し（ステップＳ１０６）、操作パネル５０のモニター部５３に測定結果を表示する（ステップＳ１０８）。なお、測定データの平均化に際しては、中央値と他の測定値との差により重み付けをし、中央値に近い測定データについては測定値を４倍し、中央値からの差が大きくなるにしたがって、３倍、２倍、１倍、０倍して平均化した。
右眼の測定終了後、両眼の測定が終了しているか判断し（ステップＳ１１０）、左眼の測定が終了していない場合は左眼の測定位置へ測定光学系を移動させ（ステップＳ１１１）、左眼について上述したと同様の方法によって測定する。こうして、両眼について測定することができる。
【００６５】
次に、上述した虹彩全体の曲率半径を算出する実施形態ではなく、虹彩表面を２分割して虹彩の中心側と周辺側の２箇所における曲率半径を算出する実施形態について説明する。
本実施形態では、データ解析部４５は、虹彩表面にスリット光が投射された各点における位置座標（ｘｉ、ｚｉ）を算出した後、この位置座標に基づいて虹彩の表面を中心側と周辺側の２つに分割して、それぞれの曲率半径を算出する。
なお、虹彩表面を２つに分割する位置の算出は、スリット光による全測定点の数を２で割って、測定点の数が半分になるところで、中心側と、周辺側に分割するようにしている。
【００６６】
データ解析部４５は、図１９のフローに示したように、中心側の虹彩表面の複数の位置（ｘｉ、ｚｉ）を最小二乗法によって二次曲線の方程式に近似させ、得られた二次曲線の方程式を線形最小二乗法によって円の方程式に近似させ、さらに、得られた円の方程式の初期値に基づいて、非線形最小二乗法によって円の方程式に近似させる。
【００６７】
データ解析部４５は、同様に、周辺側の虹彩表面の複数の位置（ｘｉ、ｚｉ）を最小二乗法によって二次曲線の方程式に近似させ、得られた二次曲線の方程式を線形最小二乗法によって円の方程式に近似させ、さらに、得られた円の方程式の初期値に基づいて、非線形最小二乗法によって円の方程式に近似させる。
【００６８】
そして、データ解析部４５は、中心側および周辺側それぞれの円の中心位置が虹彩よりも角膜側にあるか後房側にあるかを判断する。データ解析部４５は、角膜側に円の中心が存在する場合には、算出された半径ｒにマイナス（−）の符号を付ける。
【００６９】
上述したように、虹彩表面を中心側と周辺側のそれぞれで円近似した曲率半径を算出することで、以下のような症例の検討に役立てることができる。
図２３には、健常者の例を示す。図面左側が虹彩全体で円近似した曲率半径を示しており、図面右側が中心側と周辺側の２箇所でそれぞれ円近似した曲率半径を示している。
この健常者の例では、中心側の曲率半径が小さく、周辺側の曲率半径が大きくなっている。
【００７０】
図２４には、閉塞隅角緑内障の例を示す。図面左側が虹彩全体で円近似した曲率半径を示しており、図面右側が中心側と周辺側の２箇所でそれぞれ円近似した曲率半径を示している。
この場合、虹彩全体の曲率半径で健常者と比較してもそれほど大きな違いは見られない。しかし、中心側と周辺側の２箇所で比較することにより、中心側の曲率半径と周辺側の曲率半径がほぼ同じであり、健常者と比較してそれぞれの曲率半径が小さくなっていることにより、この症例を検出することが可能となる。
【００７１】
図２５には、プラトー虹彩の例を示す。図面左側が虹彩全体で円近似した曲率半径を示しており、図面右側が中心側と周辺側の２箇所でそれぞれ円近似した曲率半径を示している。
この場合、虹彩全体の曲率半径で健常者と比較すると、曲率半径が小さくなっていることが検出できる。さらに、中心側と周辺側の２箇所で比較することにより、中心側では角膜側に円の中心が位置して下向きに凸となっており、周辺側では極めて曲率半径が小さくなっていることにより、この症例を検出することが可能となる。
【００７２】
図２６には、外傷性隅角損傷の例を示す。図面左側が虹彩全体で円近似した曲率半径を示しており、図面右側が中心側と周辺側の２箇所でそれぞれ円近似した曲率半径を示している。
この場合、虹彩全体の曲率半径で健常者と比較すると、曲率半径が大きくなっていることが検出できるが、さらに中心側と周辺側の２箇所で比較することにより、中心側でやや曲率半径が小さく、周辺側では角膜側に円の中心が位置して極めて小さい曲率半径で下向きに凸となっていることにより、この症例を検出することが可能となる。
【００７３】
虹彩表面を中心側と周辺側のそれぞれで円近似した曲率半径を算出することで、上述した例の他に、中心側で曲率半径が小さくなる傾向が強い瞳孔ブロックや、周辺側で円の中心が角膜側に位置する傾向が強いiris dispersion症候群などの症例に対する検討も可能となってくる。
【００７４】
なお、上述してきた各実施形態の眼科用検査装置２０を使用して測定する際は、測定者が被検者の横位置で被検者を補助したり、被検者に説明したりして測定する。被検者は架台部４０の前側に位置するから、測定者が被検者の近くに位置して操作できることは操作性の点で都合がよい。操作パネル５０は測定部３０の上方に配置され、左右に揺動可能となっているから、測定者が操作しやすい向きに操作パネル５０を動かして使用することができる。また、モニター部５３に表示された測定結果を被検者に示して説明する場合にも、操作パネル５０を動かすことができることは有効である。
【００７５】
また、操作パネル５０は左右方向に各々４５°程度の角度範囲で揺動できるから、測定者は被検者の右側あるいは左側のどちら側でも操作することができる。また、架台部４０の手前側に被検者と測定者が位置しているから、検査装置を壁際に設置して測定するといった使い方が可能であり、省スペース化を図った装置として提供できる。
また、測定操作は、操作パネル５０の操作ボタンを押すだけで完全自動化されていること、操作パネル５０が被検者側に向けて配置されていることから、被検者が自分で操作パネル５０を操作して、測定者がついていなくても検査することが可能である。
【００７６】
本発明の眼科用検査装置では、虹彩形状を定量的に測定するため、生理的又は病的状態の把握に非常に有効である。
例えば、以下のように応用することができると考えられる。
【００７７】
閉塞隅角眼の多くは、虹彩形状が角膜側に突出しており、突出度が高いほど発症する可能性が高まる。このため、本発明の眼科用検査装置を活用することで、より高精度で閉塞隅角眼を検出できる。
【００７８】
虹彩形状の角膜側への突出が経時的に進行する場合、後房側の圧力が前房側よりも増強し、閉塞隅角緑内障を発症する可能性が高くなったことを示す。したがって、経時的虹彩形状の定量的評価が危険性の判定に重要である。
【００７９】
虹彩形状の角膜側への突出の増強は、眼房水の流出効率の悪化を来すことがあり、眼内圧の上昇や不安定化と相関性がある。したがって、虹彩形状を判定することで、眼圧上昇の危険性の判定や不安定化の予測が容易となる。
【００８０】
鈍的眼外傷の場合、傷害眼と健常眼では虹彩形状が異なる。軽微な差の場合、見逃すことがしばしばあり、不適切な対応を来すことがあるが、本発明の眼科用検査装置によって簡単に傷害眼を検出することができる。
【００８１】
虹彩形状は、縮瞳や散瞳などによりその形態を大きく変化させる。閉塞隅角眼の場合、散瞳により形状がより角膜側に突出するが、開放眼の場合、突出は無い場合が多い。一般診察では、このような瞳孔反応による虹彩形状の変化をとらえることはほとんど不可能であるが、本発明の眼科用検査装置ではそれが可能となる。このため、本発明の眼科用検査装置は閉塞隅角緑内障眼と開放隅角緑内障眼の鑑別に有用である。
【００８２】
加齢により水晶体の厚さが増大し、調節能力や光の屈折に変化が起こる。このような加齢性の屈折変化は、水晶体を固定するチン小帯が緩むか、毛様体筋によるか、水晶体の肥厚による。これらの理由を確実に鑑別することで対応策が異なるが、従来はこの鑑別が困難であった。しかしながら、水晶体の肥厚の場合は虹彩形状が角膜側に突出することが知られており、またチン小帯が緩んだ場合は虹彩形状の変化により前房深度全体が浅くなることが知られている。このため、本発明の眼科用検査装置を用いることで、加齢性の屈折変化の原因の鑑別を確実に行えるようになる。
【００８３】
虹彩裏面にのう胞などがあった場合、虹彩括約筋若しくは散大筋に傷害があった場合、又は対光反応や薬物による瞳孔反応の場合、虹彩形状に影響が出る。本発明の眼科用検査装置では、これらの状態を詳細に感知することができるので、適切な治療を行うことが可能である。
【００８４】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００８５】
【図１】眼科用検査装置の全体構成を示す斜視図である。
【図２】眼科用検査装置の内部構成を示すブロック図である。
【図３】動作制御部の内部構成を示すブロック図である。
【図４】データ解析部の内部構成を示すブロック図である。
【図５】測定光学系の構成を示す説明図である。
【図６】固視方法を示す説明図である。
【図７】眼科用検査装置全体の動作を説明するフロー図である。
【図８】オートアライメント・測定動作を説明するフロー図である。
【図９】アライメントの方法について説明する説明図である。
【図１０】被検眼の頂部にアライメントする方法を示す説明図である。
【図１１】角膜の曲率半径を測定する方法を示す説明図である。
【図１２】前房深度測定における測定データを示す説明図である。
【図１３】データ解析動作を説明するフロー図である。
【図１４】前房深度の測定結果の一例を示す表である。
【図１５】虹彩の表面形状を定量的に測定する原理を説明する説明図である。
【図１６】虹彩の表面形状の曲率半径が比較的小さい場合の例を示す説明図である。
【図１７】虹彩の表面形状の曲率半径が比較的大きい場合の例を示す説明図である。
【図１８】虹彩の表面形状の湾曲方向が反対となっている場合の例を示す説明図である。
【図１９】虹彩の形状の算出動作を説明するフロー図である。
【図２０】虹彩表面の位置を算出する原理を説明する説明図である。
【図２１】円近似についての説明図である。
【図２２】縮瞳前と縮瞳後における測定を示す説明図である。
【図２３】健常者の場合に、中心側と周辺側の２箇所で曲率半径を測定したときの説明図である。
【図２４】閉塞隅角緑内障の場合に、中心側と周辺側の２箇所で曲率半径を測定したときの説明図である。
【図２５】プラトー虹彩の場合に、中心側と周辺側の２箇所で曲率半径を測定したときの説明図である。
【図２６】外傷性隅角損傷の場合に、中心側と周辺側の２箇所で曲率半径を測定したときの説明図である。
【図２７】眼の断面構造を示す説明図である。
【図２８】超音波生体顕微鏡によって撮影された前眼部の写真である。
【符号の説明】
【００８６】
２０  眼科用検査装置
３０  測定部
３２  ケーシング
４０  架台部
４４  駆動装置
４５  データ解析部
４６  動作制御部
４７  ＣＰＵ
４８  ＲＡＭ
４９  ＲＯＭ
５０  操作パネル
５２  モニターアーム
５３  モニター部
５４  操作ボタン
５５  プリンタ
６１  顎受け
６２  額当て
６３  顎台部
６４  ハンドル
７０ａ，７０ｂ  スリット光投射光学系
７１  ハロゲンランプ
７３  スリット
７４  ミラー
８０  撮影光学系
８１  顕微鏡光学系
８２  CCDカメラ
８３  光源
８４  ミラー
９０  アライメント光学系
９２  スリット
９３  ミラー
９５  光源
９７  ミラー
９９  ビームスプリッター
１００  ＣＰＵ
１０２  ＲＡＭ
１０３  ＲＯＭ
１０４  記憶装置
１１０  窓
１１１，１１２，１１３  透過窓
【図１】
2008264516.tif 000003
【図２】
2008264516.tif 000004
【図３】
2008264516.tif 000005
【図４】
2008264516.tif 000006
【図５】
2008264516.tif 000007
【図６】
2008264516.tif 000008
【図７】
2008264516.tif 000009
【図８】
2008264516.tif 000010
【図１１】
2008264516.tif 000011
【図１３】
2008264516.tif 000012
【図１９】
2008264516.tif 000013
【図２２】
2008264516.tif 000014
【図２３】
2008264516.tif 000015
【図２４】
2008264516.tif 000016
【図２５】
2008264516.tif 000017
【図２６】
2008264516.tif 000018
【図２７】
2008264516.tif 000019
【図９】
2008264516.tif 000020
【図１０】
2008264516.tif 000021
【図１２】
2008264516.tif 000022
【図１４】
2008264516.tif 000023
【図１５】
2008264516.tif 000024
【図１６】
2008264516.tif 000025
【図１７】
2008264516.tif 000026
【図１８】
2008264516.tif 000027
【図２０】
2008264516.tif 000028
【図２１】
2008264516.tif 000029
【図２８】
2008264516.tif 000030